(57)【要約】【課題】  陰圧モード使用時に発生した有害物質が陽圧モード使用時に作業室内に供給される空気に混入すること防止できる陰陽圧両用作業フードを提供する。【解決手段】  陽圧モード時には吸気ファン１０のみを駆動し、陰圧モード時には排気ファン２９を駆動するとともに吸気ファン１０を陽圧モード時よりも低速で駆動して、整流格子１６から吹き出す清浄な空気流により、整流格子１６やプリナムチャンバ１４内に作業室５内の有害物質を含んだ空気が侵入することを防止する。【選択図】  図８
2019086225.tif 000002
【特許請求の範囲】
【請求項１】
陽圧モードと陰圧モードの何れかのモードに切り換えて所望の作業を行う作業室が内側に設けられているとともに、整流格子が装着された開口部が下面に形成されたプリナムチャンバが前記作業室の上方に設けられ、
第１の吸気用フィルタを通して外部から空気を取り込む吸気ファンと、一方の端が前記吸気ファンの出口側に連通し、他方の端が第２の吸気用フィルタを通して前記プリナムチャンバ内に連通する吸気路を有し、陽圧モード時に前記作業室内を外部に対して陽圧に維持する陽圧発生部と、
前記作業室内の空気を外部に排気する排気ファンと、一方の端が排気用フィルタを通して前記排気ファンの入口側に連通し、他方の端が前記作業室に連通する排気路を有し、陰圧モード時に前記作業室内を外部に対して陰圧に維持する陰圧発生部と、
陽圧モード時には前記吸気ファンのみを駆動し、陰圧モード時には前記排気ファンを駆動するとともに前記吸気ファンを陽圧モード時よりも低速で駆動する駆動制御部を備え、
陰圧モード時には前記吸気ファンの低速駆動により、前記プリナムチャンバ内を前記作業室に対して陽圧に維持し、前記整流格子を通して前記作業室内に清浄な空気を吹き出すようにしたことを特徴とする陰陽圧両用作業フード。
【請求項２】
作業室内と外部との差圧を検出する第１の差圧検出手段と、
前記作業室内とプリナムチャンバ内との差圧を検出する第２の差圧検出手段と、
第１の差圧検出手段が検出した差圧を表示する第１の差圧表示手段と、
第２の差圧検出手段が検出した差圧を表示する第２の差圧表示手段を備え、
駆動制御部は、陽圧モード時には吸気ファンの回転数を手動設定可能とするとともに、陰圧モード時には吸気ファンと排気ファンのそれぞれの回転数を手動設定可能で、且つ、前記吸気ファンの回転数については、外部に対して作業室内が陰圧に維持され且つ前記作業室内に対してプリナムチャンバ内が陽圧に維持されるように、第１の差圧検出手段と第２の差圧検出手段のそれぞれの検出値に基づいて設定可能な範囲を制限する機能を有していることを特徴とする請求項１に記載の陰陽圧両用作業フード。
【請求項３】
作業室内と外部との差圧を検出する第１の差圧検出手段と、
前記作業室内とプリナムチャンバ内との差圧を検出する第２の差圧検出手段と、
前記作業室内と外部との差圧を設定する差圧設定手段を備え、
駆動制御部は、陽圧モード時には前記差圧設定手段の設定値と第１の差圧検出手段の検出値に基づいて、前記作業室内と外部との差圧が前記差圧設定手段で設定した設定値になるように吸気ファンの回転数を自動調整するとともに、陰圧モード時には前記差圧設定手段の設定値と第１の差圧検出手段の検出値に基づいて、前記作業室内と外部との差圧が前記差圧設定手段で設定した設定値になるように排気ファンの回転数を自動調整し、且つ、第２の差圧検出手段の検出値に基づいて、前記作業室内とプリナムチャンバ内の差圧が所定値に維持されるように前記吸気ファンの回転数を自動調整する機能を有していることを特徴とする請求項１に記載の陰陽圧両用作業フード。
【発明の詳細な説明】
【技術分野】
【０００１】
本発明は、作業室内を陽圧状態に保持して、当該作業室内に外部の空気が侵入することを防止する陽圧モードと、前記作業室内を陰圧状態に保持して、当該作業室内から外部へ有害物質を含んだ空気が漏出することを防止する陰圧モードの２つのモードを切り換えて使用できる、陰陽圧両用作業フードに関する。
【背景技術】
【０００２】
従来より、医療や薬剤等の研究分野においては、例えば、実験研究のための細菌培養やバイヤル瓶の密封等の作業を無菌状態で行う場合には、作業空間（作業室）内に清浄な空気を供給して陽圧に保持し、外部から空気が侵入しないようにした陽圧作業設備が用いられている。
【０００３】
一方、病原菌や有毒な化学物質のような有害物質を扱う場合には、作業空間（作業室）内を陰圧に保持し、外部への有害物質の漏出を防止するようにした陰圧作業設備が用いられている。
【０００４】
しかしながら、このような陽圧用と陰圧用の両方の作業設備を導入するためには、広い設置スペースが必要となる。そこで、特許文献１においては、箱体内部の作業空間に清浄空気を供給し、当該空間内を陽圧に保って清浄な環境を維持する陽圧モードと、前記空間内を陰圧に保って、この空間内で発生する有害物質が外部へ漏れ出すことを防止する陰圧モードを切り換えて使用できる陰陽圧両用の作業設備が提案されている。
【０００５】
特許文献１に記載されている作業設備（発明の名称「クリーンベンチ」）では、陽圧モード（同文献中では陽圧通常運転モード）においては、通気口に設けられているダンパを開いて電動ファンにより外部の空気を前記通気口から通気路内に取り込み、フィルタを通して清浄化された空気を前記作業空間内に導入して当該作業空間内を陽圧に維持している。
【０００６】
一方、陰圧モード（同文献中では陰圧通常運転モード）においては、ダンパを閉じて通気口を塞いで、前記電動ファンにより作業空間内の空気を前記通気路へ吸引し、フィルタを通して外部に排気することによって当該作業空間内を陰圧に維持している。
【先行技術文献】
【特許文献】
【０００７】
【特許文献１】特許第４５１８５２４号公報
【発明の概要】
【発明が解決しようとする課題】
【０００８】
しかしながら、前述した特許文献１に記載されている「クリーンベンチ」においては、陰圧通常運転モード時には、作業空間内の空気がフィルタを通さずに電動ファンにより直接通気路に吸い込まれる構造であるため、作業空間内の空気に有害な物質が混入していると、これが前記通気路内に侵入することになる。
【０００９】
そのため、前記クリーンベンチを陰圧通常運電モードで作業を行った後に、通常陽圧運転モードで使用すると、通気路内に残留した有害物質を含んだ空気が、箱体の開口に設けられているシャッタの隙間から外部に吹き出す空気流により吸い出されて作業空間内に混入したり外部に流出する虞があった。
【００１０】
そこで、本発明は、前述したような従来技術における問題を解消し、陰圧モード使用時に発生した有害物質が陽圧モード使用時に作業室（作業空間）内に供給される空気に混入することを防止できる陰陽圧両用作業フードを提供することを目的とする。
【課題を解決するための手段】
【００１１】
前記目的のため、本発明の陰陽圧両用作業フードは、陽圧モードと陰圧モードの何れかのモードに切り換えて所望の作業を行う作業室が内側に設けられているとともに、整流格子が装着された開口部が下面に形成されたプリナムチャンバが前記作業室の上方に設けられ、第１の吸気用フィルタを通して外部から空気を取り込む吸気ファンと、一方の端が前記吸気ファンの出口側に連通し、他方の端が第２の吸気用フィルタを通して前記プリナムチャンバ内に連通する吸気路を有し、陽圧モード時に前記作業室内を外部に対して陽圧に維持する陽圧発生部と、前記作業室内の空気を外部に排気する排気ファンと、一方の端が排気用フィルタを通して前記排気ファンの入口側に連通し、他方の端が前記作業室に連通する排気路を有し、陰圧モード時に前記作業室内を外部に対して陰圧に維持する陰圧発生部と、陽圧モード時には前記吸気ファンのみを駆動し、陰圧モード時には前記排気ファンを駆動するとともに前記吸気ファンを陽圧モード時よりも低速で駆動する駆動制御部を備え、陰圧モード時には前記吸気ファンの低速駆動により、前記プリナムチャンバ内を前記作業室に対して陽圧に維持し、前記プリナムチャンバ内から前記整流格子を通して前記作業室内に清浄な空気を吹き出すようにしたことを特徴としている。
【００１２】
本発明の陰陽圧両用作業フードにおいては、作業室内と外部との差圧を検出する第１の差圧検出手段と、前記作業室内とプリナムチャンバ内との差圧を検出する第２の差圧検出手段と、第１の差圧検出手段が検出した差圧を表示する第１の差圧表示手段と、第２の差圧検出手段が検出した差圧を表示する第２の差圧表示手段を備え、駆動制御部は、陽圧モード時には吸気ファンの回転数を手動設定可能とするとともに、陰圧モード時には吸気ファンと排気ファンのそれぞれの回転数を手動設定可能で、且つ、前記吸気ファンの回転数については、外部に対して作業室内が陰圧に維持され且つ前記作業室内に対してプリナムチャンバ内が陽圧に維持されるように、第１の差圧検出手段と第２の差圧検出手段のそれぞれの検出値に基づいて設定可能な範囲を制限する機能を有していることが望ましい。
【００１３】
また、本発明の陰陽圧両用作業フードにおいては、作業室内と外部との差圧を検出する第１の差圧検出手段と、前記作業室内とプリナムチャンバ内との差圧を検出する第２の差圧検出手段と、前記作業室内と外部との差圧を設定する差圧設定手段を備え、駆動制御部は、陽圧モード時には前記差圧設定手段の設定値と第１の差圧検出手段の検出値に基づいて、前記作業室内と外部との差圧が前記差圧設定手段で設定した設定値になるように吸気ファンの回転数を自動調整するとともに、陰圧モード時には前記差圧設定手段の設定値と第１の差圧検出手段の検出値に基づいて、前記作業室内と外部との差圧が前記差圧設定手段で設定した設定値になるように排気ファンの回転数を自動調整し、且つ、第２の差圧検出手段の検出値に基づいて、前記作業室内とプリナムチャンバ内の差圧が所定値に維持されるように前記吸気ファンの回転数を自動調整する機能を有していることも望ましい。
【発明の効果】
【００１４】
請求項１に記載された発明に係る陰陽圧両用作業フードによれば、陰圧モード時に、排気ファンとともに吸気ファンを陽圧モード時よりも低速で駆動し、プリナムチャンバ内から整流格子を通して作業室内に清浄な空気を吹き出すようにしているため、作業室内で発生した有害物質を含んで上昇する空気が、整流格子に接触したり当該整流格子を通してプリナムチャンバ内に侵入することを防止することができるので、その後、陽圧モードで使用する際に、プリナムチャンバを通して作業室内に供給される空気中に有害物質が混入することを防止できる。
【００１５】
請求項２に記載された発明に係る陰陽圧両用作業フードによれば、前述した請求項１に記載された発明の効果に加えてさらに、陽圧モード時には吸気ファンの回転数を、また陰圧モード時には吸気ファンと排気ファンの回転数をそれぞれ手動で設定して、作業室内と外部と気圧差や、当該作業室内とプリナムチャンバ内との気圧差を、作業内容に応じてそれぞれ個別に調整することができる。
【００１６】
また、陰圧モード時の吸気ファンの回転数については、外部に対して作業室内が陰圧に維持され且つ前記作業室内に対してプリナムチャンバ内が陽圧に維持されるように設定可能な範囲が制限されるため、吸気ファンの回転数の設定ミスにより、作業室内の陰圧が弱まって外部に有害物質が漏出したり、整流格子やプリナムチャンバ内部に作業室内の有害物質が混入した空気が侵入する事態を防止することができる。
【００１７】
また、請求項３に記載された発明に係る陰陽圧両用作業フードによれば、前述した請求項１に記載された発明の効果に加えてさらに、陽圧モードと陰圧モードの何れのモードにおいても、作業室内と外部との差圧をあらかじめ設定するだけで、それぞれのモードにおける作業中、設定した差圧を自動的に維持することができる。
【図面の簡単な説明】
【００１８】
【図１】本発明に係る陰陽圧両用作業フードの１実施形態を示す斜視図である。
【図２】図１に示す陰陽圧両用作業フードの背面側内部構造図である。
【図３】図２のＡ−Ａ断面図である。
【図４】作業室内の後壁部分の正面図である。
【図５】排気スリットの部分構造を示す斜視断面図である。
【図６】排気スリットの部分構造を示す横断面図である。
【図７】陽圧モード作業時における、作業室への空気の供給経路と前記作業室内の空気の流動状態を模式的に示す図である。
【図８】陰圧モード作業時における、作業室に対する空気の排気経路及び供給経路と前記作業室内の空気の流動状態を模式的に示す図である。
【発明を実施するための形態】
【００１９】
以下、本発明の実施形態について、図面を参照して説明する。図１は、本発明に係る陰陽圧両用作業フードの１実施形態を示す斜視図であって、同図に示す陰陽圧両用作業フード１（以下、単に作業フードという。）は全体が箱状であり、その機枠１Ａ下面の４隅に取り付けられたキャスタ車輪２によって、所望の使用場所へ容易に移動できるようになっている。
【００２０】
前記作業用フード１の前面には、上下方向に開閉可能な透明なガラス扉３が設けられた開口部４が形成されており、その内側には、種々の検査や研究用の生体組織、病原菌、化学物質等を取り扱うための作業室５が設けられている。
【００２１】
この作業用フード１は、使用目的に応じて作業室５内の気圧を外気圧より高く維持する陽圧モードと、低く維持する陰圧モードの何れかのモードに切り換えて使用できるようになっている。
【００２２】
陽圧モードにおいては、作業室５内の気圧を高めることによって、開口部４からの外気の侵入を防いで作業室５内を清浄な環境に維持し、外気に混入している埃や雑菌から作業室５内を隔離する。
【００２３】
これに対して、陰圧モードにおいては、作業室５内で有毒な化学物質や病理研究用の病原菌等の有害物質を扱う際に、作業室５内の気圧を外部より低くすることによって、これらの有害物質が外部に漏出することを防止する。
【００２４】
なお、前記何れのモードで作業を行う場合も、作業者はガラス扉３を必要最小限度上昇させて、その下方に開いた開口部４から作業手袋を装着した両腕の前腕部のみを作業室５内に入れて作業を行う。
【００２５】
本実施形態においては、ガラス扉３は透明な強化ガラスで形成されていて、操作パネル６のボタン操作によって上下に開閉動作し、所望の開度で停止可能になっている。また、このガラス扉３は、停電等の緊急時には、その前面下端部近傍に設けられている取手３Ａを保持して、手動で開閉することも可能になっている。なお、前記ガラス扉３には、透明なポリカーボネートやアクリル等の有機ガラスで形成されたものを用いてもよい。
【００２６】
前記操作パネル６には、ガラス扉３を開閉操作する操作ボタンの他に、作業フード１に内蔵されている、後述する吸気ファンや排気ファン等の操作を行うための、種々の操作ボタンが設けられている。
【００２７】
図２は、作業フード１の背面側の内部構造図であって、その機枠１Ａ内側の底部左側には、フィルタチャンバ７が配置されており、その内部には、第１の吸気用フィルタとしてのＨＥＰＡフィルタ７Ａ（破線表示）が内蔵されている。
【００２８】
また、前記フィルタチャンバ７の入口側は、同図左側の側壁外面の下部に開口している吸気口８に連通している。また、前記フィルタチャンバ７の出口側は、連結ダクト９を介して吸気ファン１０の入口側（吸込側）に連結されている。
【００２９】
吸気ファン１０は、そのモータ１０Ａの回転数をインバータで制御することで、連続的な風量調整が可能となっている。また、前記吸気ファン１０の出口側（吹出側）は、縦向きに配置された短円筒状の連結ダクト１１を介して分岐チャンバ１２の下端入口に連結されている。
【００３０】
分岐チャンバ１２の上部は左右両側に分かれていて、その左右の出口はそれぞれ、上方に向けて左右対称に湾曲した、一対の湾曲ダクト１３のそれぞれの入口と連結されている。また、これらの湾曲ダクト１３のそれぞれの出口は、左右一対のプリナムチャンバ１４とそれぞれ連通する、一対の直方体状の中継チャンバ１５のそれぞれの下面入口に連結されている。
【００３１】
図３は、図２のＡ−Ａ断面を示す図であって、同図に示すように、これらの中継チャンバ１５は、それぞれが対応するプリナムチャンバ１４の後端部に連通しており、また、これら一対のプリナムチャンバ１４は、作業室５の上方に左右対称に設置されている。
【００３２】
前記それぞれのプリナムチャンバ１４の下面には、作業室５内に連通する開口部が形成されており、これらの開口部にはそれぞれ、整流格子１６が着脱自在に装着されている。また、それぞれのプリナムチャンバ１４内側の後壁近傍位置には、第２の吸気用フィルタとしてのＨＥＰＡフィルタ１７が組み込まれている。
【００３３】
なお、本実施形態においては、前記ＨＥＰＡフィルタ１７は、点検や交換を行う場合には、整流格子１６をプリナムチャンバ１４の開口部から取り外し、作業室５側に取り出すことが可能になっている。
【００３４】
作業室５の開口部４に設けられているガラス扉３は、その左右の側縁部をそれぞれ開口部４の左右両側に設けられている一対のガイドレール１８（図１に左側の一部のみを図示）に上下動自在に案内支持されている。
【００３５】
また、前記ガラス扉３の上端部は、図３に示すように機枠１Ａの上部に設けられた扉駆動機構１９とチェーン２０で連結されており、当該扉駆動機構１９によるチェーン２０の巻き上げあるいは繰り出し動作により、前記一対のガイドレール１８に沿って上下方向に開閉される構造になっている。
【００３６】
開口部４を完全に閉じたガラス扉３の上端よりやや下方の位置から上の外側部分は、遮蔽板２１によって覆われている。前記遮蔽板２１の下端部は、ガラス扉３の外側表面に向けて湾曲しており、図示は省略しているが、その下端縁には、ガラス扉３の表面との隙間を塞ぐための柔軟なシール部材が取り付けられている。
【００３７】
作業室５の底部は、検査試料等を載せて所望の作業を行うための作業面２２となっている。また、作業室５の後壁２３には、当該作業室５内から空気を排気するための排気スリット２４が複数箇所形成されている。
【００３８】
図４は、前記後壁２３部分を示す正面図であって、本実施形態においては、同図に示すように、前記排気スリット２４は、後壁２３の左右両側に一対ずつ上下３段に、合計６箇所形成されている。
【００３９】
前記それぞれの排気スリット２４には、左右両側に開閉可能な遮蔽板２５が一対ずつ設けられている。これらの遮蔽板２５は、図５及び図６に示すように、排気スリット２４の上下縁部の裏側にそれぞれ固定されている上下一対のガイド片２６に係合して、水平方向に摺動自在に支持されており、それぞれの遮蔽板２５の表側に突設されている開閉タブ２５Ａを指で左右に動かすことにより、それぞれの排気スリット２４の開口位置や開口面積を個別に調整できるようになっている。
【００４０】
また、図３及び図４に示すように、後壁２３の上部には、照明ユニット２７が組み込まれている。当該照明ユニット２７には作業室５内を照明するための照明用ランプと、使用していない時に作業室内５を殺菌しておくための、紫外線ランプが内蔵されている。
【００４１】
また、前記後壁２３には表示部２８が設けられている。ここでは、詳細な図示は省略するが、前記表示部２８には、陽圧作業可を表示するランプ、陰圧作業可を表示するランプ、作業室５と外部との差圧を指示する差圧指示部（第１の差圧表示手段）及び、当該作業室５とプリナムチャンバ内との差圧を指示する差圧指示部（第２の差圧表示手段）が配置されていて、これらは、ガラス扉３を通して作業フード１の外側から目視確認ができるようになっている。
【００４２】
一方、図２に示すように、作業フード１の機枠１Ａ内側の底部右側には排気ファン２９が設けられている。この排気ファン２９は、前述した吸気ファン１０と同様に、モータ２９Ａの回転数をインバータによって制御することで、連続的な風量調整が可能となっている。
【００４３】
排気ファン２９の出口側（吹出側）は、機枠１Ａの右側の側壁外面の下部に形成されている排気口３０に連通している。また、前記排気ファン２９の入口側（吸込側）は、当該排気ファン２９の奥に配置されているフィルタチャンバ３１の出口側に連結されている。
【００４４】
フィルタチャンバ３１は、前述したフィルタチャンバ７と同様な、排気用フィルタとしてのＨＥＰＡフィルタ３１Ａ（後述の図７及び図８参照）を内蔵している。また、前記フィルタチャンバ３１の入口側には、合流ダクト３２の出口側が連結されている。
【００４５】
合流ダクト３２は、その入口側が２又状に左右両側に分岐していて、それぞれ、図３に示す作業面２２の後部下方に配置されている、左右一対の排気チャンバ３３の内部に連通している。
【００４６】
これらの排気チャンバ３３はそれぞれ、作業室５の後壁２３の裏側に形成されている排気通路３４の下端と連通している。前記排気通路３４は、前記それぞれの排気チャンバ３３と対応させて左右一対設けられており、それぞれ排気スリット２４を通して作業室５内に連通している。
【００４７】
また、図３に示すように、作業室５にはその内部の気圧を検出する圧力検出部３５が設けられている。また、機枠１Ａ内側のプリナムチャンバ１４の外側後方には、外部の気圧を検出する圧力検出部３６が設けられている。さらに、プリナムチャンバ１４内側の整流格子１６の近傍位置には、当該プリナムチャンバ１４の内部の気圧を検出する圧力検出部３７が設けられている。
【００４８】
また、図示していないが、機枠１Ａ内には、圧力検出部３５と圧力検出部３６の検出値に基づいて作業室５内部と外部との差圧を検出する第１の差圧検出手段と、圧力検出部３５と圧力検出部３７の検出値に基づいて作業室５内部とプリナムチャンバ１４内部との差圧を検出する第２の差圧検出手段が設けられている。
【００４９】
なお、本実施形態においては、作業室５内の圧力検出部３５については、第１の差圧検出手段と第２の差圧検出手段で共用しているが、前記圧力検出部３５は、前記それぞれの差圧検出手段毎に個別に設けてもよい。
【００５０】
また、図３に示すように、本実施形態においては、作業室５内の整流格子１６の近傍位置に、前記整流格子１６を通してプリナムチャンバ１４内から吹き出す空気流の強さを検出する風速センサ３８を設けてある。
【００５１】
図１及び図３に示すように、作業フード１の下部には、両開きの保守用扉３９をそれぞれ有する開口部が左右一対設けられており、これらの保守用扉３９を開けることにより、前述した吸気側のフィルタチャンバ７に内蔵されている第１の吸気用フィルタとしてのＨＥＰＡフィルタ７Ａと、図２に示す排気側のフィルタチャンバ３１に内蔵されている、排気用フィルタとしてのＨＥＰＡフィルタ３１Ａ（同図には図示せず）の交換や、これらのフィルタチャンバ７、３１内部の清掃や点検等を行うことができる。
【００５２】
また、本実施形態においては、図示は省略しているが、それぞれのフィルタチャンバ７、３１には、内蔵するＨＥＰＡフィルタの通気方向前後の差圧を検出する差圧計と、当該差圧計の検出した差圧が所定値を超えると動作する差圧スイッチが付設してあり、これらの差圧がＨＥＰＡフィルタの目詰まりによって増加して差圧スイッチが動作すると、図示しない警報手段が警報を発してフィルタ交換時期を知らせるようにしてある。
【００５３】
次に、前述したように構成されている本発明の作業フード１の使用方法について説明する。作業フード１を陽圧モードで使用する場合には、作業フード１の主電源をＯＮにした後、その運転モードを陽圧モードに設定する。なお、主電源のＯＮ／ＯＦＦや陽圧モードと陰圧モードの切り換え操作は、図１及び図３に示す操作パネル６で行うことができる。
【００５４】
陽圧モードに設定すると、前述した作業室５の後壁２３に設けられている表示部２８（図４参照）の陽圧作業可を表示する表示ランプが点灯し、排気ファン２９は停止状態のままで、吸気ファン１０のみが駆動される。
【００５５】
また、前記表示部２８には、前述した第１の差圧検出手段により検出された作業室５と外部との差圧（陽圧）が表示されるので、吸気ファン１０の回転数は、前記差圧を確認しながら操作パネル６より手動で設定する。
【００５６】
図７は、陽圧モード作業時における、作業室５への空気の供給経路と作業室５内の空気の流動状態を模式的に示す図であって、同図に示すように、外部の空気は、フィルタチャンバ７に内蔵されている、第１の吸気用フィルタとしてのＨＥＰＡフィルタ７Ａを通過して吸気ファン１０により取り込まれ、さらに、吸気路４０を経由してプリナムチャンバ１４へ送られる。
【００５７】
なお、前記吸気路４０は、先に説明した連結ダクト１１、分岐チャンバ１２、湾曲ダクト１３、中継チャンバ１５を含む一連の空気の通過経路を意味しており、第１の吸気用フィルタとしてのＨＥＰＡフィルタ７Ａ、吸気ファン１０、吸気路４０、第２の吸気用フィルタとしてのＨＥＰＡフィルタ１７によって、陽圧発生部が構成されている。
【００５８】
吸気路４０からプリナムチャンバ１４内へ導入された空気は、第２の吸気用フィルタとしてのＨＥＰＡフィルタ１７を通過した後、プリナムチャンバ１４の下面開口部に装着されている整流格子１６を通過して作業室５内に導入される。
【００５９】
ここで、ＨＥＰＡフィルタ１７は、上流側のＨＥＰＡフィルタ７Ａによる空気の清浄効果をさらに補強する役割を有しているとともに、プリナムチャンバ１４内に導入される空気の流速分布を当該プリナムチャンバ１４の横断面全体に均一化する役割を有している。  こうして流速が均一化された空気流は、さらに下面開口部に設けられている整流格子１６を通過して下向きに一様に偏向された状態で作業室５内に吹き出す。
【００６０】
陽圧モード作業時においては、ガラス扉３の開度を必要最小限にして作業室５内の作業面２２の上で所望の作業を行う。この際、作業室５内の空気は、ガラス扉３によって狭められた開口部４やその他の隙間から外部に向かって流出するため、外部からの塵埃や雑菌等の侵入が阻止され、作業室５内部は清浄な環境に維持される。
【００６１】
なお、陽圧モード作業時には、後壁２３に形成されている排気スリット４の遮蔽板２５は全て閉じておくことにより、作業室５内の陽圧維持に必要な消費電力を低減することができる。
【００６２】
次に、作業フード１を陰圧モードで使用する場合について説明する。この場合には、作業フード１の主電源をＯＮにした後、その運転モードを陰圧モードに設定する。陰圧モードに設定すると、前述した、図４に示す表示部２８の陰圧作業可を表示する表示ランプが点灯し、排気ファン２９と吸気ファン１０の両方が駆動される。
【００６３】
また、前記表示部２８には、作業室５内と外部との差圧（陰圧）と当該作業室５内とプリナムチャンバ１４内の差圧が表示される。陰圧モードにおいては、操作パネル６により排気ファン２９と吸気ファン１０の両方の回転数を、表示部２８に表示された前記それぞれの差圧を確認しながら設定する。
【００６４】
陰圧モードにおいては、吸気ファン１０は、外部に対して作業室５内が陰圧に維持され且つ当該作業室５内に対してプリナムチャンバ１４内が陽圧に維持されるように、陽圧モード時よりも低速で駆動する必要がある。
【００６５】
そこで、本実施形態においては、吸気ファン１０の回転数の手動設定可能な範囲を、図示しない駆動制御部が前述した第１の差圧検出手段と第２の差圧検出手段のそれぞれの検出値に基づいて制限している。
【００６６】
図８は、陰圧モード作業時における、作業室５に対する空気の排気・供給経路と作業室５内の空気の流動状態を模式的に示す図であって、同図に示すように、排気ファン２９が駆動されると、作業室５内の空気は、後壁２３の排気スリット２４から吸い込まれ、排気路４１を経由し、フィルタチャンバ３１に内蔵されている排気用フィルタとしてのＨＥＰＡフィルタ３１Ａを通過して前記排気ファン２９により外部へ排気される。
【００６７】
なお、前記排気路４１は、先に説明した排気通路３４、排気チャンバ３３、及び合流ダクト３２を含む一連の空気の通過経路を意味しており、排気ファン２９、ＨＥＰＡフィルタ３１Ａ、排気路４１によって、陰圧発生部が構成されている。
【００６８】
陰圧モード作業時は、前述した陽圧モード作業時と同様に、ガラス扉３の開度を必要最小限にして作業室５内の作業面２２の上で所望の作業を行う。この際、ガラス扉３によって狭められた開口部４から作業室５内へ外気が流入して、作業室５内の有害物質の外部への漏出を防止する。
【００６９】
また、陰圧モード時は、排気ファン２９とともに吸気ファン１０が低速駆動され、吸気路４０を通してプリナムチャンバ１４内へ清浄空気が供給され、プリナムチャンバ１４内部は、作業室５内よりも僅かに気圧が高く保持される。
【００７０】
その結果、整流格子１６から作業室５内へ吹き下ろす弱い空気流が生じ、この空気流が、作業室５内の有害物質を含んで整流格子１６の近傍まで上昇してくる空気流を下方に押し返して、当該有害物質による整流格子１６やプリナムチャンバ１４内部の汚染を防止する。
【００７１】
なお、作業室５内の空気が排気スリット２４から淀みなく排気されるように、各排気スリット２４の遮蔽板２５の開口面積や開口位置は、作業面２２上に載置する容器や検査機器等の形状や配置に応じて適宜調整する。
【００７２】
また、本実施形態においては、前述した図３に示す風速センサ３８によって、整流格子１６から作業室５内へ吹き出す空気流の強さを検出しており、所定値以上の風速が検出されない場合には、警報を発するようにしてある。
【００７３】
なお、前述した駆動制御部は、陽圧モード時において、操作パネル６で設定される作業室５内と外部との差圧（陽圧）の設定値と、前述した第１の差圧検出手段の検出値に基づいて、作業室５内と外部との差圧（陽圧）が前記設定値になるように吸気ファン１０の回転数を自動的に調整する機能を有していることが望ましい。
【００７４】
また、前記駆動制御部は、陰圧モード時において、操作パネル６で設定される作業室５内と外部との差圧（陰圧）の設定値と、前述した第１の差圧検出手段の検出値に基づいて、作業室５内と外部との差圧を前記設定値になるように排気ファン２９の回転数を自動調整するとともに、前述した第２の差圧検出手段の検出値に基づいて、作業室５内とプリナムチャンバ１４内の差圧（プリナムチャンバ１４側が陽圧）が所定値に維持されるように吸気ファン１０の回転数を自動調整する機能を有していることが望ましい。
【００７５】
なお、駆動制御部は、陰圧モード時における吸気ファン１０の回転数を、第２の差圧検出手段の検出値（差圧）に代えて、前述した風速センサ３８の検出値（風速）に基づいて自動調整するようにしてもよい。
【００７６】
この場合には、前記駆動制御部は、風速センサ３８の検出した風速値をあらかじめ設定した基準の風速値と比較して、両者が一致するように吸気ファン１０の回転数を自動調整することができる。
【００７７】
また、整流格子１６には、作業室５内で扱う有害物質や雑菌が付着しにくくするために、表面を酸化チタン等の抗菌・防汚物質でコーティングした、金属やセラミックス製の格子を用いてもよい。
【００７８】
なお、整流格子１６に酸化チタンをコーティングしたものを用いる場合には、プリナムチャンバ１４内に紫外線光源を組み込み、作業フード１を使用していないときに、前記紫外線光源を点灯して整流格子１６に紫外線を照射して、酸化チタンの光触媒作用による抗菌・防汚効果を高めるようにしてもよい。
【符号の説明】
【００７９】
１    作業フード
１Ａ  機枠
２    キャスタ車輪
３    ガラス扉
３Ａ  取手
４    開口部
５  作業室
６  操作パネル
７  フィルタチャンバ
７Ａ  ＨＥＰＡフィルタ（第１の吸気用フィルタ）
８  吸気口
９  連結ダクト
１０  吸気ファン
１０Ａ  モータ
１１  連結ダクト
１２  分岐チャンバ
１３  湾曲ダクト
１４  プリナムチャンバ
１５  中継チャンバ
１６  整流格子
１７  ＨＥＰＡフィルタ（第２の吸気用フィルタ）
１８  ガイドレール
１９  扉駆動機構
２０  チェーン
２１  遮蔽板
２２  作業面
２３  後壁
２４  排気スリット
２５  遮蔽板
２５Ａ  開閉タブ
２６  ガイド片
２７  照明ユニット
２８  表示部
２９  排気ファン
２９Ａ  モータ
３０  排気口
３１  フィルタチャンバ
３１Ａ  ＨＥＰＡフィルタ（排気用フィルタ）
３２  合流ダクト
３３  排気チャンバ
３４  排気通路
３５、３６、３７  圧力検出部
３８  風速センサ
３９  保守用扉
４０  吸気路
４１  排気路
【図１】
2019086225.tif 000003
【図２】
2019086225.tif 000004
【図３】
2019086225.tif 000005
【図４】
2019086225.tif 000006
【図５】
2019086225.tif 000007
【図６】
2019086225.tif 000008
【図７】
2019086225.tif 000009
【図８】
2019086225.tif 000010
【手続補正書】
【提出日】平成30年2月27日(2018.2.27)
【手続補正１】
【補正対象書類名】明細書
【補正対象項目名】００１１
【補正方法】変更
【補正の内容】
【００１１】
前記目的のため、本発明の陰陽圧両用作業フードの第１のものは、陽圧モードと陰圧モードの何れかのモードに切り換えて所望の作業を行う作業室が内側に設けられているとともに、整流格子が装着された開口部が下面に形成されたプリナムチャンバが前記作業室の上方に設けられ、第１の吸気用フィルタを通して外部から空気を取り込む吸気ファンと、一方の端が前記吸気ファンの出口側に連通し、他方の端が第２の吸気用フィルタを通して前記プリナムチャンバ内に連通する吸気路を有し、陽圧モード時に前記作業室内を外部に対して陽圧に維持する陽圧発生部と、前記作業室内の空気を外部に排気する排気ファンと、一方の端が排気用フィルタを通して前記排気ファンの入口側に連通し、他方の端が前記作業室に連通する排気路を有し、陰圧モード時に前記作業室内を外部に対して陰圧に維持する陰圧発生部と、前記作業室内と外部との差圧を検出する第１の差圧検出手段と、前記作業室内とプリナムチャンバ内との差圧を検出する第２の差圧検出手段と、第１の差圧検出手段が検出した差圧を表示する第１の差圧表示手段と、第２の差圧検出手段が検出した差圧を表示する第２の差圧表示手段と、陽圧モード時には前記吸気ファンのみを駆動し、陰圧モード時には前記排気ファンを駆動するとともに前記吸気ファンを陽圧モード時よりも低速で駆動する駆動制御部を備え、前記駆動制御部は、陽圧モード時には吸気ファンの回転数を手動設定可能とするとともに、陰圧モード時には吸気ファンと排気ファンのそれぞれの回転数を手動設定可能で、且つ、前記吸気ファンの回転数については、外部に対して作業室内が陰圧に維持され且つ前記作業室内に対してプリナムチャンバ内が陽圧に維持されて、前記整流格子を通して前記作業室内に清浄な空気を吹き出すように、第１の差圧検出手段と第２の差圧検出手段のそれぞれの検出値に基づいて設定可能な範囲を制限する機能を有していることを特徴としている。
【手続補正２】
【補正対象書類名】明細書
【補正対象項目名】００１２
【補正方法】変更
【補正の内容】
【００１２】
本発明の陰陽圧両用作業フードの第２のものは、陽圧モードと陰圧モードの何れかのモードに切り換えて所望の作業を行う作業室が内側に設けられているとともに、整流格子が装着された開口部が下面に形成されたプリナムチャンバが前記作業室の上方に設けられ、第１の吸気用フィルタを通して外部から空気を取り込む吸気ファンと、一方の端が前記吸気ファンの出口側に連通し、他方の端が第２の吸気用フィルタを通して前記プリナムチャンバ内に連通する吸気路を有し、陽圧モード時に前記作業室内を外部に対して陽圧に維持する陽圧発生部と、前記作業室内の空気を外部に排気する排気ファンと、一方の端が排気用フィルタを通して前記排気ファンの入口側に連通し、他方の端が前記作業室に連通する排気路を有し、陰圧モード時に前記作業室内を外部に対して陰圧に維持する陰圧発生部と、前記作業室内と外部との差圧を検出する第１の差圧検出手段と、前記作業室内とプリナムチャンバ内との差圧を検出する第２の差圧検出手段と、前記作業室内と外部との差圧を設定する差圧設定手段と、陽圧モード時には前記吸気ファンのみを駆動し、陰圧モード時には前記排気ファンを駆動するとともに前記吸気ファンを陽圧モード時よりも低速で駆動する駆動制御部を備え、前記駆動制御部は、陽圧モード時には前記差圧設定手段の設定値と第１の差圧検出手段の検出値に基づいて、前記作業室内と外部との差圧が前記差圧設定手段で設定した設定値になるように吸気ファンの回転数を自動調整するとともに、陰圧モード時には前記差圧設定手段の設定値と第１の差圧検出手段の検出値に基づいて、前記作業室内と外部との差圧が前記差圧設定手段で設定した設定値になるように排気ファンの回転数を自動調整し、且つ、第２の差圧検出手段の検出値に基づいて、前記作業室内とプリナムチャンバ内の差圧が所定値に維持されて、前記整流格子を通して前記作業室内に清浄な空気を吹き出すように、前記吸気ファンの回転数を自動調整する機能を有していることを特徴としている。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
請求項１及び請求項２に記載された発明に係る陰陽圧両用作業フードによれば、陰圧モード時に、排気ファンとともに吸気ファンを陽圧モード時よりも低速で駆動し、プリナムチャンバ内から整流格子を通して作業室内に清浄な空気を吹き出すようにしているため、作業室内で発生した有害物質を含んで上昇する空気が、整流格子に接触したり当該整流格子を通してプリナムチャンバ内に侵入することを防止することができるので、その後、陽圧モードで使用する際に、プリナムチャンバを通して作業室内に供給される空気中に有害物質が混入することを防止できる。
【手続補正５】
【補正対象書類名】明細書
【補正対象項目名】００１５
【補正方法】変更
【補正の内容】
【００１５】
そして、請求項１に記載された発明によれば、陽圧モード時には吸気ファンの回転数を、また陰圧モード時には吸気ファンと排気ファンの回転数をそれぞれ手動で設定して、作業室内と外部と気圧差や、当該作業室内とプリナムチャンバ内との気圧差を、作業内容に応じてそれぞれ個別に調整することができる。
【手続補正６】
【補正対象書類名】明細書
【補正対象項目名】００１７
【補正方法】変更
【補正の内容】
【００１７】
また、請求項２に記載された発明によれば、陽圧モードと陰圧モードの何れのモードにおいても、作業室内と外部との差圧をあらかじめ設定するだけで、それぞれのモードにおける作業中、設定した差圧を自動的に維持することができる。
【手続補正７】
【補正対象書類名】特許請求の範囲
【補正対象項目名】全文
【補正方法】変更
【補正の内容】
【特許請求の範囲】
【請求項１】
陽圧モードと陰圧モードの何れかのモードに切り換えて所望の作業を行う作業室が内側に設けられているとともに、整流格子が装着された開口部が下面に形成されたプリナムチャンバが前記作業室の上方に設けられ、
第１の吸気用フィルタを通して外部から空気を取り込む吸気ファンと、一方の端が前記吸気ファンの出口側に連通し、他方の端が第２の吸気用フィルタを通して前記プリナムチャンバ内に連通する吸気路を有し、陽圧モード時に前記作業室内を外部に対して陽圧に維持する陽圧発生部と、
前記作業室内の空気を外部に排気する排気ファンと、一方の端が排気用フィルタを通して前記排気ファンの入口側に連通し、他方の端が前記作業室に連通する排気路を有し、陰圧モード時に前記作業室内を外部に対して陰圧に維持する陰圧発生部と、
前記作業室内と外部との差圧を検出する第１の差圧検出手段と、
前記作業室内とプリナムチャンバ内との差圧を検出する第２の差圧検出手段と、
第１の差圧検出手段が検出した差圧を表示する第１の差圧表示手段と、
第２の差圧検出手段が検出した差圧を表示する第２の差圧表示手段と、
陽圧モード時には前記吸気ファンのみを駆動し、陰圧モード時には前記排気ファンを駆動するとともに前記吸気ファンを陽圧モード時よりも低速で駆動する駆動制御部を備え、
前記駆動制御部は、陽圧モード時には吸気ファンの回転数を手動設定可能とするとともに、陰圧モード時には吸気ファンと排気ファンのそれぞれの回転数を手動設定可能で、且つ、前記吸気ファンの回転数については、外部に対して作業室内が陰圧に維持され且つ前記作業室内に対してプリナムチャンバ内が陽圧に維持されて、前記整流格子を通して前記作業室内に清浄な空気を吹き出すように、第１の差圧検出手段と第２の差圧検出手段のそれぞれの検出値に基づいて設定可能な範囲を制限する機能を有していることを特徴とする陰陽圧両用作業フード。
【請求項２】
陽圧モードと陰圧モードの何れかのモードに切り換えて所望の作業を行う作業室が内側に設けられているとともに、整流格子が装着された開口部が下面に形成されたプリナムチャンバが前記作業室の上方に設けられ、
第１の吸気用フィルタを通して外部から空気を取り込む吸気ファンと、一方の端が前記吸気ファンの出口側に連通し、他方の端が第２の吸気用フィルタを通して前記プリナムチャンバ内に連通する吸気路を有し、陽圧モード時に前記作業室内を外部に対して陽圧に維持する陽圧発生部と、
前記作業室内の空気を外部に排気する排気ファンと、一方の端が排気用フィルタを通して前記排気ファンの入口側に連通し、他方の端が前記作業室に連通する排気路を有し、陰圧モード時に前記作業室内を外部に対して陰圧に維持する陰圧発生部と、
前記作業室内と外部との差圧を検出する第１の差圧検出手段と、
前記作業室内とプリナムチャンバ内との差圧を検出する第２の差圧検出手段と、
前記作業室内と外部との差圧を設定する差圧設定手段と、
陽圧モード時には前記吸気ファンのみを駆動し、陰圧モード時には前記排気ファンを駆動するとともに前記吸気ファンを陽圧モード時よりも低速で駆動する駆動制御部を備え、
前記駆動制御部は、陽圧モード時には前記差圧設定手段の設定値と第１の差圧検出手段の検出値に基づいて、前記作業室内と外部との差圧が前記差圧設定手段で設定した設定値になるように吸気ファンの回転数を自動調整するとともに、陰圧モード時には前記差圧設定手段の設定値と第１の差圧検出手段の検出値に基づいて、前記作業室内と外部との差圧が前記差圧設定手段で設定した設定値になるように排気ファンの回転数を自動調整し、且つ、第２の差圧検出手段の検出値に基づいて、前記作業室内とプリナムチャンバ内の差圧が所定値に維持されて、前記整流格子を通して前記作業室内に清浄な空気を吹き出すように、前記吸気ファンの回転数を自動調整する機能を有していることを特徴とする陰陽圧両用作業フード。